(57)【要約】【課題】利用者自らが電話番号を変更することが可能なＩＰ電話システムを提供する。【解決手段】ＩＰ電話システムに付与されたＩＰアドレスと電話番号との対応関係を変更する指示を各ＩＰ電話機から送出できるようにした。具体的には、新たに設定したい電話番号を格納したＩＰパケットに、電話番号とＩＰアドレスとの対応関係を変更するためのＩＰパケットであることを示すデータを持たせ、サーバ側ではそのＩＰパケットを受け付けると、電話番号とＩＰアドレスとの対応関係を変更する。【選択図】　図１
2004104489.tif 000002
【特許請求の範囲】
【請求項１】
ＩＰパケットで音声データを送受するＩＰ電話機であって、
前記ＩＰ電話機を特定する識別子の入力を伴う識別子変更指示を受け付ける変更指示受付手段と、
前記変更指示受付手段で受け付けた前記識別子変更指示と当該ＩＰ電話機のＩＰアドレスとを、識別子変更要求として送出する識別子変更要求手段とを備えたことを特徴とするＩＰ電話機。
【請求項２】
請求項１記載のＩＰ電話機であって、
前記ＩＰ電話機にネットワークを介して接続されているＩＰ電話機のＩＰアドレスと対応付けて当該ＩＰ電話機を特定する識別子を記憶するアドレス情報格納手段と、
前記識別子変更要求を受信する受信手段と、
前記識別子変更要求に含まれる前記識別子と前記ＩＰアドレスとを用いて、前記アドレス情報格納手段に記憶されている当該ＩＰアドレスに対応する識別子を前記識別子に変更するアドレス情報変更手段とをさらに備えることを特徴とするＩＰ電話機。
【請求項３】
請求項１記載のＩＰ電話機であって、
前記変更指示受付手段は、
識別子が格納された記録媒体から前記識別子を読み込む記録媒体読込手段を備え、
前記識別子の入力は、前記記録媒体読込手段における前記記録媒体からの読み込みであることを特徴とするＩＰ電話機。
【請求項４】
請求項２記載のＩＰ電話機であって、
前記変更指示受付手段は、
識別子が格納された記録媒体から前記識別子を読み込む記録媒体読込手段を備え、
前記識別子の入力は、前記記録媒体読込手段における前記記録媒体からの読み込みであることを特徴とするＩＰ電話機。
【請求項５】
請求項１または３記載のＩＰ電話機と、前記ＩＰ電話機からの要求に応じ、着信先ＩＰ電話機のＩＰアドレスを前記要求元ＩＰ電話機に通知するサーバとを備えた、ＩＰパケットで音声データを送受するＩＰ電話システムであって、
前記サーバは、当該サーバにネットワークを介して接続されているＩＰ電話機のＩＰアドレスと対応付けて当該ＩＰ電話機を特定する識別子を記憶するアドレス情報格納手段と、
前記ＩＰ電話機が送出した識別子変更要求を受信する受信手段と、
前記識別子変更要求に含まれる前記識別子と前記ＩＰアドレスとを用いて、前記アドレス情報格納手段に記憶されている当該ＩＰアドレスに対応する識別子を前記識別子に変更するアドレス情報変更手段とを備えることを特徴とするＩＰ電話システム。
【請求項６】
請求項２記載のＩＰ電話機において、
前記アドレス情報格納手段は、
前記識別子ごとに、利用者が登録した登録情報を格納する登録情報格納手段を備え、
前記アドレス情報変更手段は、前記識別子変更要求に含まれる前期識別子に対応付けられて前記登録情報格納手段に格納されている前記登録情報を、前記変更後、当該識別子変更要求の送信元ＩＰ電話機に送信することを特徴とするＩＰ電話機。
【請求項７】
請求項５記載のＩＰ電話システムにおいて、
前記アドレス情報格納手段は、
前記識別子ごとに、利用者が登録した登録情報を格納する登録情報格納手段を備え、
前記アドレス情報変更手段は、前記識別子変更要求に含まれる前期識別子に対応付けられて前記登録情報格納手段に格納されている前記登録情報を、前記変更後、当該識別子変更要求の送信元ＩＰ電話機に送信することを特徴とするＩＰ電話システム。
【請求項８】
ＩＰパケットで音声データを送受信するＩＰ電話機を備えたＩＰ電話システムにおける、前記ＩＰ電話機のＩＰアドレスと対応付けて管理されている当該ＩＰ電話機を特定する識別子の変更を要求するアドレス情報変更要求方法であって、前記ＩＰ電話機において、前記識別子の入力を含む当該識別子変更の指示を受け付け、
前記識別子変更の指示と当該ＩＰ電話機のＩＰアドレスとを、前記ＩＰ電話機から、前記ＩＰアドレスと前記識別子との管理先に送出することを特徴とするアドレス情報変更要求方法。
【発明の詳細な説明】
【０００１】
【発明の属する技術分野】
本発明は、ＩＰ（Ｉｎｔｅｒｎｅｔ　Ｐｒｏｔｏｃｏｌ）電話機の電話番号とＩＰアドレスとの対応情報を変更する技術に関する。
【０００２】
【従来の技術】
電話サービスにおいて、通信路の一部あるいはすべての区間でＩＰパケットによる通信を行うＩＰ電話システムが普及している。特に職場などでは、予めデータ通信のために敷設されているＬＡＮなどのネットワークを用いることができ、新たな配線が不要なため、このＩＰ電話システムは普及している。
【０００３】
このようなＩＰ電話システムでは、ＩＰパケットを用いてＩＰネットワークにおいて通信を行うため、接続先へのルーティングはＩＰアドレスによって行われる。そして、各々の端末にあたるＩＰ電話機には、ＩＰアドレスが割り振られ、送信する際は、その送信先ＩＰアドレスを指定して行われる。ところが、ＩＰアドレスは桁数が多いので、ユーザにとって、その入力は手間である。また、ユーザは、従来の回線網による電話機に近い使い勝手を望む。
【０００４】
このため、ゲートキーパと呼ばれる装置を用い、そこで、ユーザがダイヤルする電話番号と、実際のルーティングに用いるＩＰアドレスを管理している。このゲートキーパにおいて、ユーザがダイヤルした通常の電話番号からＩＰアドレスに変換し、呼を確立することで、ユーザが送信先のＩＰ電話機のＩＰアドレスを指定しなくても、送信先ＩＰ電話機への接続を可能としている。
【０００５】
なお、以後、本明細書において、ＩＰアドレスと電話番号との対応情報を、端末アドレス情報と呼ぶこととする。
【０００６】
【発明が解決しようとする課題】
ところで、職場などでは、仕事内容の変更等により、人が場所を移動することがある。このような場合、移動するごとに電話番号の変更を周知することは手間がかかるため、移動後も同じ電話番号を使用したいという要望が高い。
【０００７】
ところが、前述のように、ＩＰ電話システムでは、送信先のＩＰ電話機はＩＰアドレスで特定しなければならず、実際に利用者が送信相手先を特定するために用いる電話番号とその電話機に対応するＩＰアドレスとは予め対応づけられ、端末アドレス情報として管理されている。このため、座席を移動した場合、その座席に備え付けてあるＩＰ電話機のＩＰアドレスと対応づけられている電話番号を用いなければならない。
【０００８】
もちろん、ゲートキーパにアクセスすることが許可されている管理者に変更を依頼すれば、変更することはできる。しかしながら、管理者に変更を依頼すること自体手間であるし、さらに、その端末アドレス情報の変更作業が終わるまではＩＰ電話機を使用できない。特に大規模な移動により、多くの電話番号を同時に変更する場合は、多くの時間と手間とがかかるという問題がある。
本発明は、以上の問題を鑑みてなされたもので、手間と時間をかけずに、ネットワークに接続されたＩＰ電話機の電話番号を変更する技術を提供することにある。
【０００９】
【課題を解決するための手段】
上記課題を解決するため、本発明は、各々のＩＰ電話機に、各々のＩＰ電話機から端末アドレス情報の変更の指示を送出できる機能を持たせる。
【００１０】
すなわち、ＩＰパケットで音声データを送受するＩＰ電話機であって、
前記ＩＰ電話機を特定する識別子の入力を伴う識別子変更指示を受け付ける変更指示受付手段と、前記変更指示受付手段で受け付けた前記識別子変更指示と当該ＩＰ電話機のＩＰアドレスとを、識別子変更要求として送出する識別子変更要求手段とを備えたことを特徴とするＩＰ電話機を提供する。
【００１１】
【発明の実施の形態】
以下、本発明の第１の実施形態を、図面を参照して説明する。
【００１２】
図１は、本実施形態のシステム構成を示す図である。本図において、ＬＡＮ網１に、複数のＩＰ電話機２（ＩＰ電話機Ａ〜Ｅ）と、ＬＡＮ網１に接続されている各ＩＰ電話機２の端末アドレス情報などを管理するゲートキーパの役割を果たすサーバ３とが接続されている。また、各ＩＰ電話機２には固定的にＩＰアドレスが付与されている（本図では一例として、ＩＰ電話機Ａ〜Ｅに、順に２１３．２０１．１０１．１〜５を付与している。）。また、サーバ３にも同様に固定的にＩＰアドレスが付与されている（本図では、一例として、２１３．２０１．１０１．９を付与している）。
【００１３】
なお、本実施形態においては、ＩＰ電話機２およびサーバはＬＡＮ網１で接続されているが、これらの機器を接続するネットワークはＬＡＮに限られない。これは、以下のどの実施形態においても、同様である。
【００１４】
図２はＩＰ電話機２の機能ブロック図である。
【００１５】
本図に示すように、ＩＰ電話機２は、電話番号の入力、オンフック、オフフックなど呼制御に必要な各種の入力指示を受け付ける指示受付部２１５と、音声を出力する音声出力部２１１と、音声の入力を受け付ける音声入力部２１２と、指示受付部２１５から入力された指示を、後述する識別子登録処理部２２３および後述するネットワークインタフェース部２２に通知する指示受付処理部２２２と、ＬＡＮ網１から入力され、ネットワークインタフェース部２２を介して受け取ったデータを音声信号に復号化し音声出力部２１１に渡す音声復号化処理部２１８と、音声入力部２１２を介して受け取った音声信号を符号化し、ネットワークインタフェース部２２に渡す音声信号符号化処理部２１９と、識別子登録処理部２２３において処理されたデータ、指示受付処理部２２２において生成されたデータ、および、音声符号化処理部２１９で処理されたデータをＩＰパケット化し、ＬＡＮ網１に送出するネットワークインタフェース部２２とを備える。また、ネットワークインタフェース部２２は、指示受付部２１５から入力された指示に従い、あるいは、相手装置からの呼制御情報に従い、呼制御情報を生成する呼制御情報処理を行う。
【００１６】
これらの機能は、通常のＩＰ電話が備えるものと同じである。ただし、本実施形態においては、指示受付部２１５から入力された指示は、指示受付処理部２２２からネットワークインタフェース部２２だけでなく、識別子登録処理部２２３にも受け渡される。
【００１７】
これらの機能により、指示受付部２１５を介して入力され、指示受付処理部２２２において符号化されたデータは、ネットワークインタフェース部２２にてＩＰパケット化され、ＬＡＮ網１に送出される。また、音声入力部２１２を介して受け付けた音声は、音声符号化処理部２１９において符号化され、ネットワークインタフェース部２２にてＩＰパケット化され、ＬＡＮ網１に送出される。ネットワークインタフェース部２２にてＬＡＮ網１から受け取ったＩＰパケットは、音声復元化処理部２１８に渡され、ここで音声に復元され、音声出力部２１１から出力される。
【００１８】
これらの通常のＩＰ電話機が備える各種の機能に加え、本実施形態のＩＰ電話機２は、ＩＰ電話機２からサーバ３内に格納されている端末アドレス情報を変更するためのインタフェース機能として、以下の各部を備える。
【００１９】
なお、本実施形態においては、端末アドレス情報を変更するにあたり、電話番号を直接入力するのではなく、識別番号を入力する方法を例にあげ、説明する。ここで、利用者の識別番号とは、個々の利用者に付与される番号で、電話番号と１対１に対応しているものである。例えば、会社などでは、従業員番号などが用いられる。この識別番号と電話番号との対応関係は、端末アドレス情報と同様にサーバ３内に記憶されている。利用者は、端末アドレス情報を変更する場合、電話番号ではなく、識別番号を入力し、サーバ３内で識別番号から対応する電話番号が抽出され、抽出された電話番号により端末アドレス情報が変更される。
【００２０】
ＩＰ電話機２は、利用者の識別番号入力開始の意志を受け付ける登録開始受付部２１３と、利用者の識別番号入力終了の意志を受け付ける登録終了受付部２１４とを備え、さらに、これらの登録開始受付部２１３と登録終了受付部２１４と指示受付部２１５とを介して受け付けた信号を処理し、ネットワークインタフェース部２２に受け渡す識別子登録部２０を備える。
【００２１】
また、この識別子登録部２０は、登録開始受付部２１３を介して受け付けた信号を検知し、後述する識別子登録処理部２２３に登録の開始を通知する識別子登録開始処理部２２１と、登録終了受付部２１４を介して受け付けた信号を検知し、後述する識別子登録処理部２２３に登録の終了を通知する識別子登録終了処理部２２０と、識別子登録開始処理部２２１と識別子登録終了処理部２２０とからの信号を検知し、登録処理の受付開始から終了までの期間を判別し、当該期間中、指示受付処理部２２２からの信号をネットワークインタフェース部２２に受け渡す識別子登録処理部２２３とを備える。
【００２２】
ネットワークインタフェース部２２は、識別子登録開始処理部２２１が登録開始受付部２１３を介して利用者の識別番号入力開始の意志を受け付けたことを示す信号を受け取ってから、識別子登録終了処理部２２０が登録終了受付部２１４を介して利用者の識別番号入力終了の意志を受け付けたことを示す信号を受け取るまでの間は、指示受付部２１５を介して指示受付処理部２２２が受け付けた信号を、識別子登録処理部２２３を介して受け取り、端末アドレス情報を変更する指示である識別番号の入力とみなして処理を行い、端末アドレス情報を変更する要求（以後、端末アドレス情報変更要求と呼ぶ）としてＩＰパケット化してＬＡＮ網１に送出する。
【００２３】
それ以外の期間は、ネットワークインタフェース部２２は、指示受付部２１５を介して指示受付処理部２２２が受け付けた信号を受け取ると、その信号を、通常の呼制御情報としてＩＰパケット化してＬＡＮ網１に送出する。
【００２４】
端末アドレス情報変更要求または呼制御情報として、ネットワークインタフェース部２２において構築され、ＬＡＮ網１に送出されるＩＰパケット７００の一例を図４に示す。
【００２５】
本図に示すように、ＩＰパケット７００は、ＩＰのプロトコルに関する情報が格納されているＩＰヘッダ７１０と、送信データの内容が格納されているＩＰペイロード７２０とを備え、ＩＰヘッダ７１０には、送信元アドレス７０１と、宛先アドレス７０２など、ＩＰのプロトコルに関する情報が格納されている。なお、本実施形態の場合、送信元アドレス７０１として、送信元のＩＰ電話機２のＩＰアドレスが格納される。
【００２６】
また、ＩＰペイロード７２０には、このＩＰパケットの性質を示すファンクションを格納するファンクション格納部７２１と、受け付けた識別番号など送信するデータが格納されるデータ格納部７２２とを備える。
【００２７】
例えば、ネットワークインタフェース部２２は、ＬＡＮ網１に送出するデータが、端末アドレス情報変更要求である場合、ＩＰペイロード７２０のファンクション格納部７２１に端末アドレス情報変更要求を示すファンクションを格納し、データ格納部７２２に指示受付処理部２２２から送信された識別番号を格納する。
【００２８】
また、指示受付処理部２２２から送信されたデータが、通常の呼制御情報の場合、ネットワークインタフェース部２２は、通常の呼制御情報であることを示すファンクションをファンクション格納部７２１に格納し、指示受付処理部２２２から送信された送信先ＩＰ電話機２の電話番号をデータ格納部７２２に格納する。
【００２９】
そして、ネットワークインタフェース部２２は、それぞれ、サーバ３宛てのＩＰヘッダ７１０をつけ、ＩＰパケット化し、ＬＡＮ網１に送出する。
【００３０】
このように、本実施形態におけるＩＰ電話機２においては、ネットワークインタフェース部２２が、識別子登録開始処理部２２１と識別子登録終了処理部２２０とから入力された情報に基づいて、指示受付処理部２２２からの入力が端末アドレス情報変更要求であるか通常の呼制御情報であるか判別し、判別結果に応じたＩＰペイロードを構築し、ＬＡＮ網１に送出する。
【００３１】
すなわち、本実施形態におけるＩＰ電話機２は、ＩＰ電話機２から、通常のサーバ３に対し、呼制御情報だけでなく、端末アドレス情報変更要求も送出できる構成になっている。このため、ＩＰ電話機２から、直接、サーバ３内に格納されている端末アドレス情報を変更する要求を行うことができる。
【００３２】
これらを実現するハードウエアの一例として、図３にＩＰ電話機２の概観を示す。
【００３３】
例えば、音声出力部２２１および音声入力部２１２は、受話器２０２によって、指示受付部２１５は、ダイヤルボタン２０１と図示されていないフックとによって、登録開始受付部２１３は、登録開始ボタン２０３によって、そして、登録終了受付部２１４は、登録終了ボタン２０４によって実現できる。
【００３４】
次に、ＩＰ電話機２から端末アドレス情報変更要求を受けるサーバ３側の構成、および、サーバ３内での処理について、説明する。
【００３５】
図５はサーバ３の機能ブロック図である。サーバ３は、ＩＰパケットの送受信処理を行うネットワークインタフェース部３０と、端末アドレス情報などを格納する情報格納部３３と、ＩＰ電話機２から端末アドレス変更要求のＩＰパケットを受信した際、そのＩＰパケットを、情報格納部３３内のテーブルを検索するデータに変換する情報変換処理部３５と、情報変換処理部３５において変換されたデータを用いて、情報格納部３３の検索を行い、一致する情報があった場合、テーブルの変更処理を制御する情報変更処理部３４とを備える。
【００３６】
また、情報格納部３３は、ＩＰアドレスと電話番号とを対応付けて記憶する端末アドレス情報格納テーブル５と、識別番号と電話番号とを関連付けて記憶する識別番号変換テーブル６とを備える。端末アドレス情報格納テーブル５と識別番号変換テーブル６との一例を、各々、図６および図７に示す。
【００３７】
本図に示すように、端末アドレス情報格納テーブル５は、ＩＰアドレスを格納するＩＰアドレス格納部５０１と、対応する電話番号を格納する電話番号格納部５０２とを備える。また、識別番号変換テーブル６は、識別番号を格納する識別番号格納部６０１と、電話番号を格納する電話番号格納部６０２とを備える。
【００３８】
サーバ３では、ＩＰパケット７００を受け取ると、ネットワークインタフェース部３０においてパケットを分解し、ファンクション格納部７２１に格納されているファンクションを確認する。それが通常の呼制御情報であれば、ネットワークインタフェース部３０は、そのデータ格納部７２２に格納されている電話番号に基づき端末アドレス情報格納テーブル５から対応するＩＰアドレスを抽出し、送信元のＩＰ電話機２に送出する。
【００３９】
ファンクション格納部７２１に格納されているファンクションが端末アドレス情報変更要求を示すものである場合、情報変換処理部３５は、受け取ったデータを情報変更処理部３４に渡す。受け取った情報変更処理部３４は、データ格納部７２２に格納されている識別番号に基づき、端末アドレス情報を変換する。端末アドレス情報変換の詳細な手順は後述する。
【００４０】
なお、サーバ３は、例えば、パーソナルコンピュータ、サーバコンピュータなどの中央処理装置とメモリとを備えた情報処理装置で実現することができる。
【００４１】
次に、ＩＰ電話機２から、端末アドレス情報を変更する手順を説明する。図８に端末アドレス情報変更の手順を示す。
【００４２】
まず、ＩＰ電話機２の識別子登録処理部２２３は、登録開始受付部２１３を介して識別子登録開始処理部２２１が受け付けた信号を受け取る（ステップ３１１）。この信号は、利用者による識別番号の入力を開始する意志を示すものである。
【００４３】
次に、識別子登録処理部２２３は、指示受付部２１５を介して、指示受付処理部２２２が受け付けた、識別番号を示す信号の入力を受け取る（ステップ３１２）。
【００４４】
そして、識別子登録処理部２２３は、登録終了受付部２１４を介して識別子登録終了処理部２２０が受け付けた信号を受け取る（ステップ３１３）。この信号は、利用者による識別番号入力を終了する意志を示すものである。
【００４５】
それをきっかけに、識別子登録処理部２２３は、ステップ３１２で受け取った識別番号をネットワークインタフェース部２２へ渡す。
【００４６】
ネットワークインタフェース部２２は、受け取ったデータに、端末アドレス情報変更要求であることを示すファンクションを格納し、ＩＰパケット化し、端末アドレス情報変更要求として、ＬＡＮ網１を介してサーバ３に向けて送出する（ステップ３１４）。
【００４７】
端末アドレス情報変換要求のＩＰパケット７００を、ネットワークインタフェース部３０を介して受け取ったサーバ３は、情報変換処理部３５を経由し情報変更処理部３４へ受け渡す。
【００４８】
情報変更処理部３４は、ＩＰパケット７００を受け取ると、データ格納部７２２の識別番号を読み取り、それをキーに識別番号変換テーブル６を検索し（ステップ３１５）、その識別番号に対応する電話番号を抽出する。
【００４９】
そして、抽出した電話番号をキーに、今度は端末アドレス情報格納テーブル５を検索し、対応する電話番号とＩＰパケット７００のＩＰヘッダに格納されている送信元ＩＰ電話機２のＩＰアドレスとを用いて、端末アドレス情報格納テーブル５に格納されている電話番号の変更処理を行う（ステップ３１６）。
【００５０】
変更処理が終了すると、サーバ３は、端末アドレス情報の変更が完了したことを送信元のＩＰ電話機２に通知する（ステップ３１７）。
【００５１】
次に、上述のステップ３１５およびステップ３１６において行われる、電話番号の変更処理を詳細に説明する。
【００５２】
図１に示すＩＰ電話機２の中の、ＩＰアドレスが「２１３．２０１．１０１．１」であるＩＰ電話機Ａを利用していた識別番号「１」を付与された利用者が、ＩＰアドレスが「２１３．２０１．１０１．５」であるＩＰ電話機Ｅに移動し、識別番号の登録を行う際に、端末アドレス情報格納テーブル５が更新される手順を例にとり、図９を用いて説明する。
【００５３】
ステップ３１５において、情報変更処理部３４は、受け取った識別番号「１」をキーに、識別番号変換テーブル６を検索し、識別番号「１」に対応する電話番号「１１１１」を抽出する（ステップ４１１）。
【００５４】
次に、情報変更処理部３４は、ステップ４１１で抽出された電話番号「１１１１」をキーに端末アドレス情報格納テーブル５の電話番号格納部５０２を検索する（ステップ４１２）。
【００５５】
ここで、該当する電話番号が格納されている場合、その電話番号を電話番号格納部５０２から削除する（ステップ４１３）。
【００５６】
次に、情報変更処理部３４は、ステップ３１５において、受け取った送信元ＩＰアドレス、この場合は、「２１３．２０１．１０１．５」をキーに、端末アドレス情報格納テーブル５のＩＰアドレス格納部５０１を検索し（ステップ４１４）、合致したＩＰアドレスに対応する電話番号格納部５０２に、ステップ４１１において抽出した電話番号「１１１１」を格納する（ステップ４１５）。このとき、該当する電話番号格納部に別の電話番号が格納されていた場合は、上書きを行う。
【００５７】
なお、ＩＰアドレス「２１３．２０１．１０１．１」を持つＩＰ電話機Ａから、そのＩＰ電話機Ａの新規の利用者が上記の利用者より先に端末アドレス情報を変更する処理を行っていた場合や、利用者が初めて本ＬＡＮ網１に接続されているＩＰ電話機２に自分に与えられている電話番号を設定する場合は、ステップ４１２において、該当する電話番号は見つからない。この場合は、ステップ４１３の処理は行わず、ステップ４１４の処理に進む。
【００５８】
また、図１０示すように、識別番号変換テーブル６に、利用者が使用しているＩＰ電話機２に登録されている、短縮電話番号などの登録情報６０３を、識別番号ごとに格納するようにしてもよい。
【００５９】
この場合、図１１に示すように、端末アドレス情報の変更処理において、ステップ３１６における変更処理終了後、ステップ３１７において変更処理完了の通知を送信する前に、情報変更処理部３４は、識別番号変換テーブル６に格納されている登録情報をサーバ３からＩＰ電話機２に送信する（ステップ３１８）。
【００６０】
また、本実施形態は、識別番号を用い、ＩＰ電話機２から端末アドレス情報の変更の要求を受け付ける構成としたが、識別番号を使わず、直接電話番号の入力を受け付け、受け付けた電話番号を用いて端末アドレス情報を変更するようにしてもよい。この場合、図７のステップ３１３において、電話番号とＩＰアドレスとがＩＰ電話機２からサーバ３に送信され、ステップ３１５の処理を行わず、ステップ３１６の処理を行う。すなわち、図９に示す端末アドレス情報格納テーブルを変更する手順において、ステップ４１１の処理を行わず、ＩＰ電話機２から受信した電話番号を用い、ステップ４１２の処理を行うものである。
【００６１】
この場合、サーバ３には、識別番号変換テーブル６はなくてもよい。識別番号変換テーブル６を持たない場合、利用者の登録情報などは、端末アドレス情報格納テーブル５に電話番号ごとに持たせるようにすることで対応できる。
【００６２】
また、他人が悪意で電話番号を変更するなどの行為を防ぐため、識別番号変換テーブル６に、識別番号ごとに暗証番号を記憶させておくこともできる。この場合、識別番号の入力と同時に、あるいは別個に暗証番号の入力も受け付け、ＩＰ電話機２から、サーバ３に、識別番号とＩＰアドレスとに加え、暗証番号も送信する。それを受信したサーバ３では、識別番号変換テーブル６を識別番号をキーに検索し、そこに格納されている対応する暗証番号と送信されてきた暗証番号とを比較し、合致した場合のみ、その後の変更処理を行うようにする。
【００６３】
この場合も、識別番号変換テーブル６を用いず、端末アドレス情報格納テーブル５に暗証番号を電話番号ごとに対応付けて記憶させ、ＩＰ電話機２から送信された電話番号と暗証番号とを用いて、処理の可否を判断するようにしてもよい。
【００６４】
また、ＩＰ電話機２にディスプレイなどの出力装置を備え、入力した識別番号に対応する電話番号や登録された電話番号を表示させることで、利用者が視覚的に操作を確認できるよう構成することもできる。
【００６５】
さらに、図示されていないが、ＩＰ電話機２において、識別子登録処理部２２３が、ステップ３１１でＩＰ電話機２の登録開始ボタン２０３が押下されたことを受け付けたとき、登録開始ボタン２０３のランプを点灯させ、ステップ３１７で登録完了の通知を受信したとき、そのランプを消灯させるなどの処理を行うなどの方法で、端末アドレス情報の変更処理が完了したことを利用者に視覚的に示すようにすることもできる。
【００６６】
このように、本実施形態は、その要旨の範囲内で様々な変形が可能である。
【００６７】
以上説明したように、本実施形態においては、各々のＩＰ電話機２から、電話番号の設定および変更ができるため、席替えなどがあった場合も、簡単に以前使っていた電話番号を新しい席のＩＰ電話機２に設定することができる。
【００６８】
次に、本発明の第２の実施形態について、図を用いて説明する。
【００６９】
本実施形態は、第１の実施形態ではサーバ３に持たせていた、ゲートキーパ機能を、各ＩＰ電話機２に備えるようにしたものである。
【００７０】
図１２は、本実施形態のシステム構成図である。本実施形態においては、ＬＡＮ網１に複数のＩＰ電話機２（ＩＰ電話機Ａ〜Ｅ）が接続されている。
【００７１】
本図に示すように、本実施形態におけるＩＰ電話機２は、第１の実施形態で備える構成に加え、識別子登録処理部２２３とネットワークインタフェース部との間に接続する端末アドレス情報処理部２３と、その端末アドレス情報処理部２３に接続する情報格納部２４とを備える。
【００７２】
情報格納部２４は、端末アドレス情報格納テーブル５および識別番号変換テーブル６を備える。
【００７３】
ネットワークインタフェース部２２は、指示受付処理部２２２が受け付けた送信先ＩＰ電話機２の電話番号を受け取ると、その電話番号に対応するＩＰアドレスを、端末アドレス情報処理部２３に問い合わせる。問合せを受けた端末アドレス情報処理部２３は、情報格納部２４を検索し、所望のＩＰアドレスを返す。ネットワークインタフェース部２２は、受け取ったＩＰアドレスをＩＰヘッダの宛先アドレスに格納し、呼制御情報とともにＩＰパケットを構築し、ＬＡＮ網１に送出する。
【００７４】
処理しているデータが端末アドレス情報変更要求である場合、識別子登録処理部２２３は、第１の実施形態と同様に、そのデータをネットワークインタフェース部２２に受け渡す。
【００７５】
受け取ったネットワークインタフェース部２２は、ＩＰパケット化し、マルチキャストでＬＡＮ網１に接続されている全てのＩＰ電話機に、この端末アドレス情報変更要求のＩＰパケットを送出する。
【００７６】
一方、ＩＰ電話機２は、ＬＡＮ網１に接続されている他のＩＰ電話機２から、端末アドレス情報変更要求のＩＰパケットを受け取った場合、ネットワークインタフェース部２２において、パケットを分解し、端末アドレス情報処理部２３に受け渡す。
【００７７】
受け取った端末アドレス情報処理部２３は、端末アドレス情報格納テーブル５に格納されている端末アドレス情報を変更する。
【００７８】
なお、ＩＰ電話機２のその他の機能構成、および、端末アドレス情報格納テーブル５と識別番号変換テーブル６との構成は、第１の実施形態と同様である。
【００７９】
以上に説明したＩＰ電話機２を備える本実施形態における、電話番号の変更の手順は、基本的には図８、図１１、および図９に示す第１の実施形態における電話番号の変更手順と同じである。ただし、図８および図１１のステップ３１４において、サーバ３に送信していた端末アドレス情報変更要求のＩＰパケットの送信がマルチキャストで行われること、すなわち、端末アドレス情報変更要求のＩＰパケットがＬＡＮ網１に接続されている全ＩＰ電話機２に送信されることと、その後第１の実施形態ではサーバ３で行われていた電話番号の変更処理が、ＩＰパケットを受け取った全ＩＰ電話機２において、端末アドレス情報処理部２３によって行われる点が異なる。
【００８０】
なお、端末アドレス情報処理部２３における、端末アドレス情報の変更処理手順は、第１の実施形態において、情報変更処理部３４が行う処理手順と基本的に同じである。
【００８１】
もちろん、本実施形態においても、電話番号以外の登録情報も管理されている構成、暗証番号が管理されている構成、識別番号を用いない構成など第１の実施形態における各種の変形例は採用可能である。
【００８２】
以上のように、本実施形態においても、各ＩＰ電話機２から、簡単に電話番号の設定および変更ができる。
【００８３】
次に、本発明の第３の実施形態について、図を用いて説明する。本実施の形態は、第１の実施形態および第２の実施形態において、登録開始ボタン２０３と登録終了ボタン２０４とダイヤルボタン２０１とを介して、識別番号の入力を受け付けていたところを、予めＩＣカードに記憶されたデータを読み込むことで、受け付けるようにしたものである。
【００８４】
本実施の形態で用いるＩＰ電話機２の機能ブロックを図１３に示す。本図に示すように、本実施形態のＩＰ電話機２は、第１の実施形態および第２の実施形態で用いられていたＩＰ電話機２が備える登録開始受付部２１３および登録終了受付部２１４の代わりに、ＩＣカード受付部２２７を備え、第１および第２の実施形態の識別子登録開始処理２２１と識別子登録終了処理２２０との代わりに、ＩＣカード読取処理部２２６を備える。
【００８５】
本実施形態で用いるＩＰ電話機２は、第１および第２の実施形態同様、指示受付部２１５と指示受付処理部２２２とネットワークインタフェース部２２とを備える。ただし、本実施形態においては、指示受付処理部２２２は、ネットワークインタフェース部２２接続に接続され、指示受付部２１５を介して入力を受け付けた信号を、ネットワークインタフェース部２２に受け渡す。
【００８６】
なお、ＩＰ電話機２において、端末アドレス情報が管理されている場合、端末アドレス情報処理部２３は、指示受付処理部２２２に接続される。
【００８７】
本実施形態で用いるＩＰ電話機２のその他の構成は、第１の実施形態および第２の実施形態のどちらの構成であってもよい。また、ＩＰ電話機２のその他の機能処理部が第１の実施形態と同様の構成を持つ場合、サーバ３の構成も、基本的に第１の実施形態と同じである。
【００８８】
以下に、本実施形態における端末アドレス情報を変更する手順を説明する。なお、以下では、一例として、第１の実施形態同様、サーバ３において、端末アドレス情報が管理されている構成を例に説明する。
【００８９】
まず、ＩＣカード受付部２２７が、ＩＣカードが本実施形態のＩＰ電話機２が備える差込口に挿入されたことを受け付けると、ＩＣカード読取処理部２２６は、挿入されたＩＣカードから識別番号を読み出す。読み出された識別番号は、識別子登録処理部２２３において処理され、ネットワークインタフェース部２２に渡される。ネットワークインタフェース部２２は、受け取ったデータを端末アドレス情報変更要求のデータとして処理し、ＩＰパケット化し、端末アドレス情報変更要求としてサーバ３に向けてＬＡＮ網１に送出する。送出された端末アドレス情報変更要求のＩＰパケットを受け取ったサーバ３は、第１の実施形態と同様の処理を行い、管理している端末アドレス情報を変更する。
【００９０】
なお、第２の実施形態のように、ＬＡＮ網１に接続されているＩＰ電話機２各々が、端末アドレス情報を管理している構成の場合は、本手順において、ＩＰ電話機２は、に端末アドレス情報変更要求をマルチキャストでＬＡＮ網１に接続されている全てのＩＰ電話機２に送出し、また、他のＩＰ電話機２から端末アドレス情報変更要求のＩＰパケットを受け取った場合、ＩＰ電話機２は第２の実施例と同様の処理を行う。
【００９１】
本実施形態の場合、利用者はＩＣカードを挿入するだけで、使用するＩＰ電話機２の電話番号をＩＣカードに登録されている識別子に対応する電話番号に変更することができる。このため、識別番号などの誤入力を防ぐことができる。
【００９２】
本実施形態においても、ＩＣカードに、識別番号ではなく電話番号そのものを登録しておき、それをＩＰパケット化して、端末アドレス情報変更要求としてサーバ３に送信するようにしてもよい。
【００９３】
さらに、本実施形態においても、第１および第２の実施形態で説明した各種の変形例は採用可能である。
【００９４】
また、ここでは詳細を述べないが、ＩＣカードには、登録情報などユーザの識別番号以外のデータも格納しておくことが可能である。それらのデータをサーバ３またはＬＡＮ網１に接続されている全ＩＰ電話機２に、識別番号などと一緒に通知するよう構成することもできる。
【００９５】
以上に説明した実施形態では、ＩＰ電話機２に、ＩＰ電話機２からゲートキーパで管理されている端末アドレス情報を設定および変更できるインタフェースを持たせたため、サーバ管理者、端末アドレス情報管理者などに依頼することなく、ＩＰ電話機２の利用者が自由に使用するＩＰ電話機２の電話番号を設定および変更することができる。
【００９６】
【発明の効果】
本発明によれば、ＩＰ電話機の利用者が自ＩＰ電話機から自機の電話番号を設定および変更できる。
【図面の簡単な説明】
【図１】図１は、第１の実施形態のシステム構成を示す図である。
【図２】図２は、第１の実施形態のＩＰ電話機の機能ブロック図である。
【図３】図３は、第１の実施形態のＩＰ電話機の概観図である。
【図４】図４は、ＩＰパケットの構成の一例を示す図である。
【図５】図５は、サーバ３の機能ブロック図である。
【図６】図６は、端末アドレス情報格納テーブルの一例を示す図である。
【図７】図７は、識別番号変換テーブルの一例を示す図である。
【図８】図８は、第１の実施形態の端末アドレス情報変更手順を示す図である。
【図９】図９は、第１の実施形態の端末アドレス情報格納テーブル変更手順を示す図である。
【図１０】図１０は、登録情報を格納した識別番号変換テーブルの一例を示す図である。
【図１１】図１１は、第１の実施形態の端末アドレス情報変更手順の別の例を示す図である。
【図１２】図１２は、第２の実施形態のシステム構成を示す図である。
【図１３】図１３は、第３の実施形態のＩＰ電話機の機能ブロック図である。
【符号の説明】
１…ＬＡＮ網、
２…ＩＰ電話機
３…サーバ
５…端末アドレス情報格納テーブル
６…識別番号変換テーブル
２０…識別子登録部
２２…ネットワークインタフェース部
３０…ネットワークインタフェース部
３３…情報格納部
３４…情報変更処理部
３５…情報変換処理部
２０１…ダイヤルボタン
２０２…受話器
２０３…登録開始ボタン
２０４…登録終了ボタン
２１１…音声出力部
２１２…音声入力部
２１３…登録開始受付部
２１４…登録終了受付部
２１５…指示受付部
２１８…音声復元化処理部
２１９…音声符号化処理部
２２０…識別子登録終了処理部
２２１…識別子登録開始処理部
２２２…指示受付処理部
２２３…識別子登録処理部
２３…端末アドレス情報処理部
２４…情報格納部
２２７…ＩＣカード受付部
２２６…ＩＣカード読取処理部
【図１】
2004104489.tif 000003
【図２】
2004104489.tif 000004
【図３】
2004104489.tif 000005
【図４】
2004104489.tif 000006
【図５】
2004104489.tif 000007
【図６】
2004104489.tif 000008
【図７】
2004104489.tif 000009
【図８】
2004104489.tif 000010
【図９】
2004104489.tif 000011
【図１０】
2004104489.tif 000012
【図１１】
2004104489.tif 000013
【図１２】
2004104489.tif 000014
【図１３】
2004104489.tif 000015